(57)【特許請求の範囲】
【請求項１】
有線もしくは無線または赤外線を介して情報送信装置から情報受信記録再生装置に受信すべき情報が上記情報受信記録再生装置の記録された情報の再生速度よりも速い速度で送信され、上記受信すべき全情報は再生が開始される先頭部分及び上記先頭部分以外の複数の非先頭部分に分割され、上記複数の非先頭部分の間に上記先頭部分がそれぞれ配置されて繰り返し送信されることにより、上記先頭部分は上記繰り返しより高い頻度で繰り返し送信される情報の情報受信方法であって、
上記受信すべき情報を受信する受信ステップと、
上記受信した情報から、記録が終了している部分を除いて受信すべき全情報を記録する記録ステップと、
上記受信すべき全情報の先頭部分を受信した時点で、当該先頭部分の情報の再生を開始し、上記先頭部分の情報の再生に続いて、上記記録された情報の内の上記先頭部分に続く複数の非先頭部分を順次再生する再生ステップと
を有することを特徴とする情報受信方法。
【請求項２】
上記記録ステップでの情報の記録と再生ステップでの情報の再生を時分割で行うことを特徴とする請求項１記載の情報受信方法。
【請求項３】
有線もしくは無線または赤外線を介して情報送信装置から送信される受信すべき情報を受信する受信手段と、
上記受信した情報から、記録が終了している部分を除いて受信すべき全情報を記録媒体に記録し、上記記録媒体に記録した情報を再生する記録再生制御手段とを有し、
上記情報送信装置から送信される受信すべき情報は、上記記録媒体に記録された情報の再生速度よりも速い速度で送信され、上記受信すべき全情報は再生が開始される先頭部分及び上記先頭部分以外の複数の非先頭部分に分割され、上記複数の非先頭部分の間に上記先頭部分がそれぞれ配置されて繰り返し送信されることにより、上記先頭部分は上記繰り返しより高い頻度で繰り返し送信され、
上記記録再生制御手段は、受信すべき全情報の先頭部分を受信した時点で、上記記録した情報の再生を開始し、上記先頭部分の情報の再生に続いて、上記記録された情報の内の上記先頭部分に続く複数の非先頭部分を順次再生する制御を行うことを特徴とする情報受信記録再生装置。
【請求項４】
上記記録再生制御手段は、記録媒体への情報の記録と再生を時分割に制御することを特徴とする請求項３記載の情報受信記録再生装置。
【請求項５】
上記記録媒体は、情報受信記録再生装置本体に対して着脱自在な外部記録媒体であることを特徴とする請求項４記載の情報受信記録再生装置。
【発明の詳細な説明】
【０００１】
【産業上の利用分野】
本発明は、例えばニュースや音楽等の情報を十分な品質で多数の人に円滑に配布するための情報受信方法及び情報受信記録再生装置に関する。
【０００２】
【従来の技術】
例えば、ニュースや音楽等の情報を多数の人に配布するための媒体としては、従来よりラジオ放送やテレビジョン放送等の放送媒体が存在している。また、これらラジオ放送やテレビジョン放送を受信する機器には携帯可能なものも多く、従ってこれら携帯可能な機器を使用すれば、当該機器の使用者（すなわち視聴者）は、様々な場所で上記ニュースや音楽等の情報を入手することができる。
【０００３】
ところが、これらラジオ放送やテレビジョン放送等の電波を使用した場合、同時に多数の視聴者に音声や映像を送ることが可能であるが、例えばこれらの放送視聴者が移動をしているようなときには、受信状態が場所により不安定となることがあり、このような場所では十分な音質や画質を確保することは難しい。
【０００４】
このため、従来より、こうした問題を解決するために、特に受信状態が悪くなる地下街や電車の中等に対しては、一旦、地上や車外で受信した信号を、これら地下街や電車内に再送する方法がとられている。
【０００５】
【発明が解決しようとする課題】
しかしながら、上述したような再送設備の整備されている場所は限られているため、上記再送された情報の受信機器の使用者が、その場所を離れてしまうと、十分な品質の信号を受信することができないという欠点があった。また、各視聴者はその時点で放送されているもののみしか視聴できないという欠点もある。
【０００６】
そこで、本発明はこのような実情に鑑みてなされたものであり、音声や画像等の情報を多数の視聴者に対して迅速に提供でき、また、各視聴者が移動していたとしても高品質の音声や画素を各人が視聴したい時に自由にかつ繰り返し視聴することを可能とする情報受信方法及び情報受信記録再生装置を提供することを目的とする。
【０００７】
【課題を解決するための手段】
本発明の情報受信方法は、有線もしくは無線または赤外線を介して情報送信装置から情報受信記録再生装置に受信すべき情報が上記情報受信記録再生装置の記録された情報の再生速度よりも速い速度で送信され、上記受信すべき全情報は再生が開始される先頭部分及び上記先頭部分以外の複数の非先頭部分に分割され、上記複数の非先頭部分の間に上記先頭部分がそれぞれ配置されて繰り返し送信されることにより、上記先頭部分は上記繰り返しより高い頻度で繰り返し送信される情報の情報受信方法であって、上記受信すべき情報を受信する受信ステップと、上記受信した情報から、記録が終了している部分を除いて受信すべき全情報を記録する記録ステップと、上記受信すべき全情報の先頭部分を受信した時点で、当該先頭部分の情報の再生を開始し、上記先頭部分の情報の再生に続いて、上記記録された情報の内の上記先頭部分に続く複数の非先頭部分を順次再生する再生ステップとを有することにより、上述の課題を解決する。
【０００８】
また、本発明の情報受信記録再生装置は、有線もしくは無線または赤外線を介して情報送信装置から送信される受信すべき情報を受信する受信手段と、上記受信した情報から、記録が終了している部分を除いて受信すべき全情報を記録媒体に記録し、上記記録媒体に記録した情報を再生する記録再生制御手段とを有し、上記情報送信装置から送信される受信すべき情報は、上記記録媒体に記録された情報の再生速度よりも速い速度で送信され、上記受信すべき全情報は再生が開始される先頭部分及び上記先頭部分以外の複数の非先頭部分に分割され、上記複数の非先頭部分の間に上記先頭部分がそれぞれ配置されて繰り返し送信されることにより、上記先頭部分は上記繰り返しより高い頻度で繰り返し送信され、上記記録再生制御手段は、受信すべき全情報の先頭部分を受信した時点で、上記記録した情報の再生を開始し、上記先頭部分の情報の再生に続いて、上記記録された情報の内の上記先頭部分に続く複数の非先頭部分を順次再生する制御を行うことにより、上述の課題を解決する。
【０００９】
【作用】
本発明によれば、情報再生速度よりも速い速度で繰り返し送信される情報を受信し、この繰り返し送信されて受信した情報から、受信すべき情報を記録することで、必要な情報を短時間に得ることができ、また、この記録した情報を再生すれば何回でも必要な情報を得ることができる。
【００１０】
【実施例】
以下、本発明の好ましい実施例について、図面を参照しながら説明する。
【００１１】
図１は、情報送信装置である情報提供収集装置により提供される情報を記録し、再生する第１の実施例の情報記録再生装置１０の外観を示したものである。
【００１２】
この第１の実施例の情報記録再生装置１０には、情報提供収集装置と接続した際に、当該情報提供収集装置から提供された情報を受信するための結合端子（情報提供収集装置結合端子）１と、当該情報記録再生装置１０内に設けられた記録媒体から再生した情報を上記情報提供収集装置へ送信（転送）するための結合端子（情報提供収集装置結合端子）２とが設けられている。上記結合端子１を介して上記情報提供収集装置から提供された情報は、当該情報記録再生装置１０内に設けられた記録媒体に記録され、また、上記結合端子２を介して当該情報記録再生装置１０から転送された情報は、上記情報提供収集装置にて収集されることになる。なお、図１の例では、２つの結合端子１及び２を設け、上記結合端子１で受信を行い、結合端子２で送信を行うようにしているが、これら機能をまとめた１つの結合端子を設けるようにし、当該１つの結合端子を上記情報の受信時と送信時とで切り換えて使用するようにしてもよい。
【００１３】
また、図１の情報記録再生装置１０には、上記結合端子１及び２の他に、情報を表示するための表示手段としての表示部３と、再生する情報を選択するための選択手段としての再生選択ボタン４とが装備されている。上記表示部３には当該装置１０内の記録媒体に記録されている情報の内容を表示することができる。当該情報記録再生装置１０の使用者は、上記再生選択ボタン４を使用することで、上記表示部３に表示されている記録内容から必要な情報を選択的に再生したり、その他の選択情報を入力したりすることができる。ここで、上記再生される情報の内容としては、テキスト情報や、音声情報（以下音声情報と言うときは音響情報も含む）、映像情報、コンピュータ・プログラム情報等を含み、本発明では特に限定されない。再生情報がテキスト情報や映像情報の場合には、上記テキスト情報に対応する文字や映像情報に対応する映像を上記表示部３に表示することができ、音声情報の場合には当該音声情報に対応する音声波形信号をイアホン５等の放音手段に出力することができる。また、図１では図示していないが、上記放音手段としては、上記イアホン５の代わりに、或いはイアホン５に加えてスピーカ等を装備していてもよく、その場合には当該スピーカに音声情報に対応する音声波形信号を出力するようにしても良い。なお、上述したコンピュータ・プログラム情報の再生とは、そのコンピュータ・プログラムを実行することを意味する。また、上記表示部３としては、例えばいわゆる液晶ディスプレイやプラズマ・ディスプレイ、フィールド・エミッション・ディスプレイ等のフラット・パネル・ディスプレイを使用することができる。
【００１４】
さらに上記再生情報は、図１には図示していないが、当該情報記録再生装置１０に設けた外部端子（例えば映像出力端子や音声出力端子等）を介して接続した外部の陰極線管（ＣＲＴ）ディスプレイ装置やスピーカー等に送るようにしても良い。その他、本発明の第１の実施例においては、情報記録再生装置１０内に設けられる記録媒体の種類も、特に限定はないが、特に、高速にコピーが可能、かつランダム・アクセスが容易で携帯性にも優れたいわゆるＩＣメモリを使用すると便利である。
【００１５】
図２は、情報送信装置である情報提供収集装置により提供される情報を記録し、再生する第２の実施例の情報記録再生装置２０と情報記録装置３０の外観を示したものである。この図２の例では、図１の情報記録再生装置１０の機能が、情報再生装置２０と情報記録装置３０とに物理的に分離して構成されている。したがって、情報再生装置２０には図１同様の表示部３と再生選択ボタン４が設けられ、イヤホン５等も装着可能となっている。また、情報記録装置３０には前記情報提供収集装置と当該情報記録装置３０とを結合するための前記結合端子１及び２が設けられる。但し、再生時には情報記録装置３０と情報再生装置２０の間でデータ及び制御信号の送受信が必要になるので、両者を結合するための端子が情報再生装置２０及び情報記録装置３０に装備されている。なお、図２には、これら情報再生装置２０及び情報記録装置３０を結合するための端子は情報記録装置２０側の結合端子（情報再生装置結合端子）３３のみ示している。また、情報記録装置３０に設けられることになる結合端子１及び２は、第１の実施例同様に１つにまとめた結合端子とすることができ、この１つの結合端子を送信時と受信時とで切り換えて使用する構成とすることも可能である。なお、この図２の例では、情報記録装置２０を、情報再生装置３０の挿入排出口３５に挿入することで、当該情報記録装置３０からの情報を当該情報再生装置２０に伝達することができる。また、この第２の実施例においても、情報記録装置３０が備える記録媒体の種類は、特に限定はないが、特に、高速にコピーが可能、かつランダム・アクセスが容易で携帯性にも優れたいわゆるＩＣメモリを使用すると便利である。
【００１６】
次に、図３には情報提供収集装置４０の具体例の外観を示す。
【００１７】
この情報提供収集装置４０内には記録媒体が設置され、当該記録媒体に情報が記録されている。また、当該情報提供収集装置４０には、例えば有線による情報伝達手段４４が接続されており、この情報伝達手段４４を通じて他の装置からの情報を当該情報提供収集装置４０が受信したり、また、当該情報提供収集装置４４内の情報を他の装置に送信したりすることが可能となっている。もちろん、上記情報伝達手段４４は、有線に限らず、無線によるものを使用する事も可能である。また、情報伝達手段４４は、上述のような有線や無線のような通信媒体を使用するものの他に、物理的な別の媒体を使用するようにしても良い。例えば、記録媒体を使用し、例えば情報を記録済みの記録媒体を情報提供収集装置４０へ挿入することによって、当該記録媒体の情報を情報提供収集装置４０へ供給するようにしたり、また、当該情報提供収集装置４０内の記録媒体を取り外し、その記録媒体を他の装置に挿入することによって当該記録媒体の情報を他の装置へ供給するようにしたり、或いは当該情報提供収集装置４０に別の記録媒体を挿入し、この記録媒体に情報を複写してから、当該記録媒体を取り出すようなことも可能である。なお、この情報提供収集装置４０内の記録媒体の種類も、特に限定はないが、特に、高速にコピーが可能、かつランダム・アクセスが容易で携帯性にも優れたいわゆるＩＣメモリを使用すると便利である。
【００１８】
また、当該情報提供収集装置４０には、記録媒体に記録されている情報の内容を表示するための複数の表示部４２と、これら表示部４２に表示されている何れの情報を当該情報提供収集装置４０から出力するかを選択する複数の出力選択ボタン４１とが装備されている。したがって、情報入手希望者は、上記表示部４２に表示されている情報の内から、上記出力選択ボタン４１を用いて欲しい情報を選択することができる。なお、上記表示部４２としては、例えばいわゆる液晶ディスプレイやプラズマ・ディスプレイ、フィールド・エミッション・ディスプレイ等のフラット・パネル・ディスプレイを使用することができる。
【００１９】
さらに、情報入手希望者は、このようにして選択した情報を入手する場合、当該情報提供収集装置４０の挿入排出口４３に自分の持っている前記図１の情報記録再生装置１０や図２の情報記録装置３０を挿入し、ここから上記選択した情報のコピーを受けるようにする。また、当該情報提供収集装置４０は、情報記録再生装置１０や情報記録装置３０が挿入排出口４３に挿入されてから排出されるまでの間に、これら情報記録再生装置１０や情報記録装置３０から情報を収集することも可能である。
【００２０】
図４には、情報提供収集装置の他の具体例の外観を示す。
【００２１】
この図４の例では、情報提供収集装置５０に挿入口５１と排出口５２が距離を置いて分離して配置されており、情報入手希望者Ｈは歩きながら（図中矢印Ａ方向に移動しながら）当該情報提供収集装置５０からの情報の入手や、当該情報提供収集装置５０への情報の送信を行うことができる。この場合、上記挿入口５１から挿入された情報記録再生装置１０或いは情報記録装置３０は、当該情報提供収集装置５０内の例えば搬送ベルト及びその駆動装置からなる移動手段或いは高圧の空気を用いた移動手段等によって、当該装置５０内を図中矢印ａに示す方向に運ばれるが、その際に、当該情報提供収集装置５０から情報記録再生装置１０或いは情報記録装置３０に情報がコピーされたり、情報記録再生装置１０或いは情報記録装置３０の情報が当該情報提供収集装置５０に収集され、その後、情報記録再生装置１０或いは情報記録装置３０が上記排出口５２から排出される。この装置５０の例によれば、多くの人に迅速に情報を提供、或いは多くの人からの情報を迅速に収集することが可能となる。
【００２２】
上述したような情報記録再生装置１０或いは情報記録装置３０及び情報再生装置２０と、情報提供収集装置４０や５０を使用することによって、各視聴者が希望する情報を迅速に提供することができ、また、各視聴者の情報を迅速に収集することが可能である。
【００２３】
次に、図５には、本発明の第３の実施例としての情報受信記録再生装置６０の外観を示す。
【００２４】
この図５に示す情報受信記録再生装置６０は、図１の情報記録再生装置１０と同様の表示部３と再生選択ボタン４を有してなるものであるが、当該情報受信記録再生装置６０は図１の結合端子１の代わりに、例えば赤外線受光用のフォトダイオード等からなる赤外線受信器６１によって外部（情報提供収集装置）から情報の提供を受けるようにしている。なお、この図５の例では、情報提供収集装置との間の結合端子２が省略されているが、もちろんこの結合端子２を備えることは可能である。
【００２５】
また、図６には、第４の実施例として、図５の情報受信記録再生装置６０の機能を、前記第２の実施例同様に、情報受信再生装置７０と情報記録装置８０とに物理的に分離して構成された例を示す。
【００２６】
したがって、この図６の構成において、情報受信再生装置７０には図５同様の表示部３と再生選択ボタン４が設けられ、さらに、赤外線受信器６１も設けられており、イヤホン５等も装着可能となっている。また、情報記録装置８０及び情報受信再生装置７０には、当該情報記録装置８０と情報受信再生装置７０との間で情報の送受を行うための結合端子が設けられている。なお、図６には、これら情報受信再生装置７０及び情報記録装置８０を結合するための端子は情報記録装置８０側の結合端子（情報受信再生装置結合端子）８１のみ示している。さらに、この図６の例でも、情報記録装置８０を、情報受信再生装置７０の挿入排出口７５に挿入することで、当該情報受信再生装置７０にて受信した情報を情報記録装置８０に伝達、或いは情報記録装置８０に記録されている情報を情報受信再生装置７０に伝達することができる。
【００２７】
なお、上述した第２，第４の実施例のように、情報記録装置と情報再生装置或いは情報受信再生装置は、必ずしも一体化されていなくてもよく、また、これら装置間の情報伝達は、上述のように挿入排出口を介して行うことのみならず、有線または無線によって伝達するようなことも可能である。
【００２８】
ところで、上述した第１，第２の実施例の構成自体は、本件出願人によって特開平６−１３１３７１号公報の情報提供収集装置等にて既に開示されている構成と略々同様なものである。この特開平６−１３１３７１号公報記載の情報提供収集装置は、上記ニュース等の情報を視聴者に提供する手段として、前述した従来例のような放送という手段とは別に、情報端末を通じて視聴者に情報を提供するものである。すなわち、当該公報記載の装置は、ニュースや音楽等の情報を迅速に入手及び提供すると共に、視聴者の反応をも知ることができる手段として、情報記録媒体及び権利管理手段を備え、権利管理手段の制御により情報の記録または再生の制御を行う情報記録装置からなる情報提供収集装置である。当該公報記載の技術によれば、権利管理手段及び情報記録媒体を備えた情報端末に記録再生装置を接続することで、当該記録再生装置の使用者は、当該情報端末から上記ニュース等の情報を得ることができる。
【００２９】
しかし、上述したような公報記載の技術のように情報端末に情報記録再生装置や情報記録装置等を接続する方法では、上記情報端末から一度に情報の転送を受けることができる人数に限りがあり、したがって例えば非常に多くの人に情報を提供するためには、各人が長時間待たなければならなくなる虞れがある。このようなことから、非常に多くの人に同時に情報を送るためには、これらの情報端末の数を増やす必要がある。
【００３０】
そこで、本発明の情報送信方法においては、情報提供収集装置から情報を送信する場合には、情報記録再生装置や情報再生装置（或いは情報受信記録再生装置や情報受信再生装置）における情報再生速度よりも高い（速い）ビットレートで、当該情報提供収集装置から情報を繰り返し送信する（特に、情報の特定部分については頻繁に繰り返し送信する）と共に、当該情報提供収集装置から情報を受信する情報記録再生装置（或いは情報受信記録再生装置）や情報記録装置側では、当該情報再生速度よりも高いビットレートで送信された情報を、同じく情報再生速度よりも速い速度で記録媒体に記録することで、これら情報記録再生装置等の多くの使用者に対して容易かつ迅速（待たされることなく）に情報を提供することができるようにしている。したがって、情報記録再生装置等における情報の再生の際には、当該記録媒体に記録された情報を視聴者からの指示に応じて再生することにより、多数の使用者に容易かつ迅速に情報を提供することが可能となる。また、本発明においては、上述のように、情報再生速度よりも高いビットレートで情報を提供すると共に記録媒体に記録することで、例えば使用者が受信の容易な場所から受信状態が悪くなる場所に移ってしまった（受信が容易な場所から離れてしまった）としても、使用者は受信状態が良い場所で受け取って記録した情報を自由に再生できることを可能としている。
【００３１】
以下、上述したような、情報再生速度よりも高いビットレートによる情報提供及び記録媒体への記録を実現する構成及び動作について、説明する。なお、これ以降は、説明を容易にするため、第１，第３の実施例のように情報記録装置と情報再生装置或いは情報受信再生装置とが一体化されたものを例に挙げて説明しているが、もちろん第２，第４の実施例の構成にも適用できることは言うまでもない。
【００３２】
先ず、図７を用いて、本発明実施例の構成を実際に使用する際の使用状況の一例について説明する。なお、図７には、視聴者Ｈが移動する場合の一例として、各視聴者Ｈがバス９０に乗っている例を示している。
【００３３】
すなわち、この図７の例においては、上記バス９０の車内は前述したような放送媒体による電波の受信状態が良くないことが多いので、当該バス９０の例えば屋根上に放送電波の受信用のアンテナ９１を設置し、さらに当該アンテナ９１で受信した信号をバス９０の車内に再送するための情報発信装置９２を天井部に設置している。この情報発信装置９２には例えば赤外線発光ダイオード等からなる赤外線発信器９３が設けられており、上記アンテナ９１を介して受信した信号の再送を当該赤外線発信器９３から行えるようになっている。また、当該バス９０に乗っている各視聴者Ｈは、それぞれが例えば前記第３の実施例のような赤外線受信器６１を備えた情報受信記録再生装置６０を有しており、当該情報受信記録再生装置６０の赤外線受信器６１で上記情報発信装置９２の赤外線発信器９３から発信された信号（再送された信号）を受信することで、情報の提供を受け得るようになっている。すなわち、各視聴者Ｈが有する情報受信記録再生装置６０は、各視聴者の指示に基づいて、上記再送されている情報の記録を行うと共に、当該記録と同時或いは記録の後に、その記録された情報の再生を行い得るようになっている。
【００３４】
ここで、上記情報発信装置９２からの情報送信のビットレートは、前述したように再生時のビットレート（一旦記録した情報を放送時の正規の速度で再生する際のビットレート）よりも高く設定してあり、記録も同様に速い速度で行われる。したがって、各視聴者Ｈは、全ての再生が終了するまで、上記情報発信装置９２の送信範囲内に留まる必要は無い。特に、予め音声信号等の情報を圧縮しておくようにすれば、同じ転送ビットレートでも情報の転送時間を短くすることができ、視聴者Ｈが上記送信範囲に留まるべき時間を効果的に短縮することが可能である。
【００３５】
次に、図８には、情報提供収集装置の一例としての上述のような情報発信装置９２及び赤外線発信器９３の構成の一具体例を示す。
【００３６】
この図８において、当該情報発信装置の端子１０１には、例えば図７のアンテナ９１を介した受信信号が供給される。当該受信信号は、受信回路１０２に送られる。当該受信回路１０２は、上記アンテナ９１を介した受信信号がアナログ信号である場合にはこれをディジタルの受信情報に変換する。当該受信回路１０２から出力された情報は、制御回路１０３によって記録再生が制御される格納手段としての記録媒体１０４に一旦記録される。
【００３７】
その後、この記録媒体１０４に記録された情報は、上記制御回路１０３の制御する順番で繰り返し再生され、送信手段１０５に送られる。当該送信手段１０５は前記赤外線発信器９３を含み、上記制御回路１０３を介して供給された情報に基づいて、上記赤外線発信器９３を駆動する駆動信号を生成し、この駆動信号によって上記赤外線発信器９３を駆動する。これにより、当該送信手段１０５の赤外線発信器９３からは、上記記録媒体１０４から繰り返し再生された情報に基づいた赤外線による信号が送信されることになる。
【００３８】
なお、記録媒体１０４の内容は、受信回路１０２を通じて受信された情報によって、適宜変更すること、すなわち書き換えることが可能である。
【００３９】
次に、図９を用いて、各視聴者Ｈが持つ情報受信記録再生装置の一具体例の構成について説明する。
【００４０】
この図９において、受信手段１２２は前記赤外線受信器６１を含み、この赤外線受信器６１によって上記情報発信装置の赤外線発信器９３からの赤外線による送信信号を受信する。当該受信回路１２２では、上記赤外線受信器６１が受信して出力した信号がアナログ信号であるため、このアナログ信号をディジタル情報に変換して出力する。この受信回路１２２からの情報は、記録再生制御手段としての制御回路１２５によって記録再生が制御される記録媒体１２６に一旦記録される。
【００４１】
また、上記制御回路１２５には表示部３及び再生選択ボタン４も接続されており、当該制御回路１２５は、表示部３に対して記録媒体１２６に記録されている再生可能な情報の内容に関する表示を行い、視聴者は、この表示部３に表示された内容に基づいて、再生選択ボタン４を操作することで、再生等の指示を行う。上記制御回路１２５は、視聴者からの再生選択ボタン４による再生の指示が行われると、その指示された情報を上記記録媒体１２６から再生する制御を行う。
【００４２】
ここで、上記制御回路１２５による記録媒体１２６への記録と再生は、時分割によりなされ、したがって見かけ上、記録と再生とが同時に行われるようになっている。なお、このような時分割の処理は、記録媒体１２６として半導体メモリを用い、例えば当該半導体メモリへのアクセスの偶数サイクルを記録（書き込み）に、奇数サイクルを再生（読み出し）に割り当てることによって容易に実現することができる。
【００４３】
上記記録媒体１２６から再生された情報は、制御回路１２５によって表示部３或いは再生回路１２８に振り分けられる。すなわち、制御回路１２５は、上記記録媒体１２６からの情報が映像情報である場合には、その映像情報を表示部３に送って表示させ、音声情報である場合には再生回路１２８に送る。当該再生回路１２８では、上記音声情報を時系列サンプル信号に変換した後、さらにこの時系列サンプル信号を例えばイアホン５等の放音手段に送るためのアナログ音声波形信号に変換する。このアナログ音声波形信号が端子１２９を介して放音手段に送られるようになる。なお、アナログ音声波形信号の他に、アナログ映像信号をも外部に出力する場合には、上記再生回路１２８において映像情報を時系列サンプルの映像信号に変換した後、さらに当該時系列サンプル映像信号をアナログ映像信号に変換する。また、この場合の端子１２９は、音声出力端子と映像出力端子からなる。この映像出力端子から上記映像信号が外部の表示装置に送られることになる。
【００４４】
次に、図１０には図９に示した情報受信記録再生装置の受信回路１２２の一具体的構成を示す。
【００４５】
この図１０において、光電変換手段である前記赤外線受信器６１は、上記情報発信装置の赤外線発信器９３からの赤外線光を受光し、当該受光した赤外線を光電変換処理してアナログの受信信号に変換する。この受信信号は、Ａ／Ｄ変換回路１３３にてディジタル情報に変換される。このディジタル情報は、その後、受信制御回路１３４を介して図９の制御回路１２５に送られ、前述したように記録媒体１２６に記録されることになるが、上記記録媒体１２６への前述した時分割のアクセス時期に合わせるために、上記受信制御回路１３４によって書き込み及び読み出しが制御されるバッファ・メモリ１３５に一旦格納される。上記受信制御回路１３４の読み出し制御によって当該バッファ・メモリ１３５から読み出された情報は、上記受信制御回路１３４及び端子１３６を介して図９の制御回路１２５に送られ、図９の記録媒体１２６に記録されるようになる。なお、受信制御回路１３４の機能は、図９の制御回路１２５に含ませることもでき、この場合受信制御回路１３４は不要となる。
【００４６】
次に図１１には、図９に示した情報受信記録再生装置の再生回路１２８の一具体的構成を示す。なお、以下の説明では、音声信号の処理についてのみ説明する。
【００４７】
この図１１において、端子１４１には、図９の制御回路１２５の制御によって前記記録媒体１２６から読み出された情報が供給される。この情報は、再生制御回路１４２によって書き込み及び読み出しが制御されるバッファ・メモリ１４５に一旦格納される。当該バッファ・メモリ１４５からは、上記再生制御回路１４２の読み出し制御により、後段の復号化回路１４３がその情報を必要とするタイミングで読み出される。復号化回路１４３は、上記バッファ・メモリ１４５から供給された情報を、時系列サンプル信号に変換する。この復号化回路１４３からの時系列サンプル信号は、Ｄ／Ａ変換回路１４４に送られ、ここでアナログの音声波形信号に変換される。このアナログ音声波形信号が端子１４６を介して図９の端子１２９に送られる。なお、上記再生制御回路１４２の機能も、図９の制御回路１２５に含ませることができ、この場合当該再生制御回路１４２は不要となる。
【００４８】
次に、図１２を用いて、本発明による情報送信から再生までの処理の一例を説明する。
【００４９】
図１２の（ａ）には図８の情報発信装置からの送信すべき全情報の繰り返し送信（同一内容の全情報の繰り返し送信）の様子を示し、図１２の（ｂ）には図９の情報受信記録再生装置によって上記送信された情報を受信し、図９の記録媒体１２６に書き込むタイミングを示している。すなわち、この図１２の（ａ）に示すように、送信すべき全情報は、図１２の（ｃ）に示す当該全情報の再生時間Ｔ１よりも短い時間Ｐ１で図８の情報発信装置から繰り返し送信される。また、上記情報発信装置から送信された全情報は、情報受信記録再生装置で受信され、図１２の（ｂ）に示すようなタイミングで、図９の記録媒体１２６に書き込まれる。
【００５０】
ここで、例えば図１２の（ｂ）に示す時点ｔ1において、視聴者が情報を再生しようとして図９の再生選択ボタン４を操作して当該再生を指示すると、この時点ｔ１から全情報の受信及び図９の記録媒体１２６への記録が開始する。次に、時点ｔ２に来ると、当該時点ｔ１からの全情報の先頭部分が記録媒体１２６へ記録されるようになる。また、このとき前述したように、記録媒体１２６への記録と再生は時分割で行われるようになっているので、記録媒体１２６に記録された当該全情報の先頭部分から再生を開始することができる。したがって、視聴者は当該全情報の先頭部分からの情報を得ることができる。なお、上記記録媒体１２６の再生開始時点（ｔ２）の検出は、送信情報（繰り返し送信される上記全情報）に特性部分である情報先頭部分を示す同期信号を含めておくことにより、容易に実現することができる。その後、情報受信記録再生装置への情報の転送は、時点ｔ３で終了するので、視聴者はこの時点ｔ３で受信範囲を外れて、例えばバスを下車してしまっても良く、その後もその情報を再生して楽しむことが可能である。なお、図９の記録媒体１２６への開始時点は上記時点ｔ２としても良いが、書込み終了時点を早めるためには、図１２の（ｂ）の時点ｔ１の時点から開始した方が良い。
【００５１】
ただし、上記図１２の例の場合、先頭から再生開始まで時間として最長Ｐ１だけ待たなければならず、再生のための再生選択ボタン４の指示のタイミングからの応答性という面では必ずしも十分とは言えない。そこで、この欠点を無くすようにした例を以下に述べる。
【００５２】
図１３には上記送信すべき全情報を情報先頭部と図中ｄ１からｄ３までで示す情報非先頭部に分割した様子を示し、図１４には図１３のように分割した情報を配置し直した送信情報信号の様子を示している。すなわち、図１３から前記図１２の繰り返し送信される全情報は情報先頭部と情報非先頭部ｄ１〜ｄ３からなるものであるが、前記図１２のように繰り返し送信するときには、図１４に示すように、情報先頭部に関しては、先行部として例えば各情報非先頭部ｄ１，ｄ２，ｄ３の間に配置することで、これら各情報非先頭部ｄ１〜ｄ３よりも繰り返し頻度を高くして送信を行うようにしている。
【００５３】
次に、図１５を用いて、図１３に示した全情報の情報先頭部と情報非先頭部との配置を図１４のように配置し直されて送信された情報が、再生されるまでの処理例を説明する。図１５の（ａ）には全情報の繰り返し送信の様子を示し、図１５の（ｂ）には当該繰り返し送信されている情報を情報受信記録再生装置において受信し、図９の記録媒体１２６に記録するタイミングを示している。
【００５４】
すなわち、この処理例においては、図１５の（ａ）に示されるように、全ての情報は時間Ｐ１１に情報先頭部送信１回分の時間を加えた時間間隔で繰り返し送信されているが、このうち、情報先頭部に関しては、それよりも短い時間Ｐ１２で繰り返し送信されている。また、情報受信記録再生装置においては、図１５の（ｂ）に示すタイミングで、当該繰り返し送信されている情報を受信し、図９の記録媒体１２６に書き込む。
【００５５】
したがって、視聴者が例えば図１５の（ｂ）の時点ｔ１１で当該情報を再生しようと図９の再生選択ボタン４を通じて指示すると、この時点ｔ１１から情報の受信及び図９の記録媒体１２６への記録が開始される。また、このときも前述同様に、記録媒体１２６への記録と再生は時分割で行われるようになっているので、記録媒体１２６に記録された当該情報の先頭部分から再生を開始することができる。このため、視聴者は当該情報の先頭部分からの情報を得ることができる。また、情報受信記録再生装置への情報の転送は、時点ｔ１３で終了するので、視聴者はこの時点ｔ１３で受信範囲を外れて、例えばバスを下車してしまっても良く、その後もその情報を再生して楽しむことが可能である。なお、図１５の（ｂ）の図中斜線部分では、既に図９の記録媒体１２６への記録が終了しているために新たな記録を行なわないようにしてもいい部分である。
【００５６】
また、図１５の（ｃ）において、図中Ｔ１１は情報先頭部の再生時間を示しているが、この再生時間Ｔ１１は上記時間Ｐ１１よりも長くなるよう設定されており、したがって、情報先頭部の再生が終了した時点では、全ての情報が図９の記録媒体１２６に記録されている。このため、再生は途切れることなく継続することができる。なお、上記時間Ｔ１１を再生時間Ｐ１１に比べて長くとることは、特に情報送信のビットレートが再生のためのビットレートに比較して非常に高い場合には、容易に可能である。例えば、図１３の例の場合、情報先頭部分が再生時間６分で、情報非先頭部ｄ１〜ｄ３が各々再生時間１８分で、情報の送信ビットレートが再生ビットレートの６０倍である場合、図１４の例のように送信を行うと、再生時間７２分に相当する情報を受信する必要があるが、これは１．２分で完了し、情報先頭部分の再生時間内に全情報の記録媒体１２６への記録は終了する。なお、時間Ｔ１２は、情報非先頭部の再生時間を示す。
【００５７】
この図１３から図１５にて説明した情報送信方法の大きな利点は、全情報を転送する時間に比べて短い再生時間Ｐ１２が、先頭から視聴開始までの待ち時間の最大になることで、これにより、再生のための再生選択ボタン４による指示のタイミングからの応答性が良くなる。
【００５８】
上述の例では、一つの情報の先頭部を繰り返し送信した場合について説明しているが、送信する情報は複数であっても良く、また、繰り返し送信する情報は、これら複数の情報に対する案内情報を含んでいても良い。
【００５９】
このような、送信する情報が複数で、繰り返し送信する情報がこれら複数の情報に対する案内情報を含んでいる場合には、例えば、図１６及び図１７に示すようにして繰り返し送信することができる。
【００６０】
図１６には図１３と同様に図８の記録媒体１０４に格納されているデータの内容を示し、図１７には図１４と同様に図１３の情報の送信順序を示す。すなわち、上記送信すべき情報が例えば情報Ｄ１と情報Ｄ２の二つからなるとき、この送信すべき情報は、図１６に示すように、案内情報と、情報Ｄ１の先頭部（情報Ｄ１先頭部）と、情報Ｄ１の非先頭部（例えば二つの情報Ｄ１非先頭部ｄ１及びｄ２）と、情報Ｄ２の先頭部（情報Ｄ２先頭部）と、情報Ｄ２の非先頭部（例えば一つの情報Ｄ２非先頭部ｄ１）とに分割される。この場合、案内情報と情報Ｄ１先頭部および情報Ｄ２先頭部が特定部分である。また、この図１６に示した送信すべき情報は、図１７に示すように、情報Ｄ１先頭部及び情報Ｄ２先頭部と案内情報に関しては、先行部として、例えば各情報Ｄ１非先頭部ｄ１，ｄ２，情報Ｄ２非先頭部ｄ１の間に配置することで、これら各情報Ｄ１非先頭部ｄ１，ｄ２，情報Ｄ２非先頭部ｄ１よりも繰り返し頻度を高くして送信を行うようにする。
【００６１】
この図１６及び図１７の例の場合も、前記図１５と同様の処理によって、再生選択ボタン４で選択された情報の再生を短い待ち時間で開始し、途中で途切れることなく再生を継続することが可能である。なお、上述の例では、案内情報と情報Ｄ１先頭部と情報Ｄ２先頭部は、同じ頻度で送信されているが、例えば、案内情報については繰り返し頻度を高くするようにしても良い。
【００６２】
その他、本実施例では、前述したように再生選択ボタン４により選択された情報のみを図９の情報受信記録再生装置の記録媒体１２６に記録することによって、当該記録媒体１２６を有効利用することが可能であり、図１８にはそのような場合の制御回路１２５の制御の流れを示す。
【００６３】
この図１８において、ステップＳ１では先行部を検出し、次のステップＳ２ではステップＳ１で先行部を検出したところで、当該先行部を受信しながら記録媒体１２６に情報を記録する。ステップＳ３では案内情報を再生し、次のステップＳ４では視聴者の再生選択ボタン４による指示に従って再生情報を決定する。ステップＳ５では再生情報番号をＪとし、次のステップＳ６では当該再生情報番号Ｊに対応する情報の先頭部を再生すると共に、当該再生情報番号Ｊに対応する情報の非先頭部のみを記録媒体１２６に記録していく。そして、ステップＳ７では記録媒体１２６への記録が完了した上記再生情報番号Ｊに対応する情報の非先頭部を再生していく。
【００６４】
以上、赤外線を用いて情報を無線放送する場合について説明を行なったが、本発明の方法は一般の無線放送を行なう場合にも、或いは有線放送や前述の図１〜図４で例示したような方法によって情報の送信を行なう場合にも適用することができるのはいうまでもない。しかし、携帯可能な多数の情報受信記録再生装置に対して速やかに情報を転送する上で、前述したような無線送信による手法を使用することは効果が大きい。また、広範囲に電磁波の影響を与えずに、特定の場所でのみ情報を転送するためには、赤外線を使うと特に有効である。なお、情報の種類には特に限定は無いが、情報受信記録再生装置を携帯時にも安全に再生することが可能である音声信号に対して用いると特に便利である。また、上述の実施例では、情報を再生速度よりも速い速度で送信するために、一旦、ディジタル化した信号を高いビットレートで送信する方法について述べたが、当該送信する信号は、必ずしもディジタル信号でなくてもよく、アナログ信号を送信し、情報受信記録再生装置側でＤ／Ａ変換を行なって記録媒体に記録するようにしても良い。しかし、本実施例のようにディジタル信号を送信するようにした方が、色々な情報を統合的に送信することができる。
【００６５】
【発明の効果】
以上の説明からも明らかなように、本発明によれば、情報再生速度よりも速い速度で繰り返し送信される情報を受信し、上記繰り返し送信されて受信した情報から、受信すべき情報を記録し、上記記録した情報を上記情報再生速度で再生するようにし、受信すべき情報の特定部分を受信した時点で、当該特定部分の情報の再生を開始しているので、例えば、音声や画像等の情報を多数の視聴者に対して長時間待たせることなく再生できるよう送信することが可能となり、また、その視聴者は移動しても高品質の音声や画像を自分が視聴したい時に繰り返し視聴することが可能となる。
【図面の簡単な説明】
【図１】第１の実施例の情報記録再生装置の外観図である。
【図２】第２の実施例の情報記録装置及び情報再生装置の外観図である。
【図３】情報提供収集装置の一具体例の外観図である。
【図４】情報提供収集装置の他の具体例の外観図である。
【図５】第３の実施例の情報受信記録再生装置の外観図である。
【図６】第４の実施例の情報受信再生装置及び情報記録装置の外観図である。
【図７】第３の実施例の情報受信記録再生装置の実際の使用例を説明するための図である。
【図８】情報発信装置の概略構成を示すブロック回路図である。
【図９】情報受信記録再生装置の概略構成を示すブロック回路図である。
【図１０】図９の受信手段の概略構成を示すブロック回路図である。
【図１１】図９の再生回路の概略構成を示すブロック回路図である。
【図１２】全情報の繰り返し送信について説明するための図である。
【図１３】繰り返し送信される全情報を分割した様子を説明するための図である。
【図１４】図１３のように分割した情報を配置し直した送信情報信号について説明するための図である。
【図１５】図１３及び図１４の送信情報信号の繰り返し送信について説明するための図である。
【図１６】送信する情報が複数ある場合の繰り返し送信される情報の分割の様子を説明するための図である。
【図１７】図１６のように分割した複数の情報を配置し直した送信情報信号について説明するための図である。
【図１８】記録媒体を有効利用する場合の図９の制御回路における処理の流れを示すフローチャートである。
【符号の説明】
３  表示部、  ４  再生選択ボタン、  ６０  情報受信記録再生装置、  ６１赤外線受信器、  ９２  情報発信装置  、  ９３  赤外線発信器、  １２２  受信手段、  １２５  制御回路、  １２６  記録媒体、  １２８  再生回路
【図１】
0003951887.tif 000002
【図２】
0003951887.tif 000003
【図３】
0003951887.tif 000004
【図４】
0003951887.tif 000005
【図５】
0003951887.tif 000006
【図６】
0003951887.tif 000007
【図７】
0003951887.tif 000008
【図８】
0003951887.tif 000009
【図９】
0003951887.tif 000010
【図１０】
0003951887.tif 000011
【図１１】
0003951887.tif 000012
【図１２】
0003951887.tif 000013
【図１３】
0003951887.tif 000014
【図１４】
0003951887.tif 000015
【図１５】
0003951887.tif 000016
【図１６】
0003951887.tif 000017
【図１７】
0003951887.tif 000018
【図１８】
0003951887.tif 000019